(57)【特許請求の範囲】
【請求項１】
下押し板と上押し板とを結合部において結合し、下押し板と上押し板との間に上刃と下刃の一方もしくは両方を長さ方向に往復駆動自在に保持した庭木バリカンであって、下押し板の両側部に上刃を押し上げて上下刃の摺接抵抗を低減する突出部を設けて成ることを特徴とする庭木バリカン。
【請求項２】
突出部は、下押し板を折り曲げて中央部が高くなる円弧状に形成して成ることを特徴とする請求項１記載の庭木バリカン。
【請求項３】
突出部は、下押し板を折り曲げて中央部が高くなる複数の円弧部を備えて成ることを特徴とする請求項１記載の庭木バリカン。
【請求項４】
突出部は、下押し板と上押し板との間に回転自在に保持された回転体であることを特徴とする請求項１記載の庭木バリカン。
【請求項５】
突出部は、下押し板と上押し板との間に保持されて上刃より柔らかい部材であることを特徴とする請求項１記載の庭木バリカン。
【請求項６】
上刃より柔らかい部材は、本体ハウジングに一体化して成ることを特徴とする請求項５記載の庭木バリカン。
【請求項７】
突出部は、下押し板を断面略逆Ｕ字状に折り曲げて頂部に凸曲部を形成して成ることを特徴とする請求項１記載の庭木バリカン。
【請求項８】
突出部は、下押し板を断面半球面状に折り曲げて半球面体に形成して成ることを特徴とする請求項１記載の庭木バリカン。
【請求項９】
突出部は、下押し板の両側部を断面コ字状に折り曲げてコ字状部に形成して成ることを特徴とする請求項１記載の庭木バリカン。
【請求項１０】
両側部に突出部を形成した突出部材を下押し板に付設して成ることを特徴とする請求項１記載の庭木バリカン。
【発明の詳細な説明】
【０００１】
【発明の属する技術分野】
本発明は、庭木バリカンに関し、詳しくは、上下刃の摺接抵抗を低減して軽快な切断作業を長期にわたっておこなえるようにしようとする技術に係るものである。
【０００２】
【従来の技術】
従来、下押し板と上押し板とを結合部においてリベット等にて結合し、下押し板と上押し板との間に上刃と下刃の一方もしくは両方を長さ方向に往復動自在に保持した庭木バリカンにおいては、例えば、上刃に下刃側に突出する突出部を形成することで、上下刃の摺接抵抗を低減している。
【０００３】
【発明が解決しようとする課題】
ところが、上刃に下刃側に突出する突出部を形成する場合に、上刃の加工が困難であり、特に、上下刃が突出部において摺接することから、騒音が高く、突出部の摩耗が激しく、製品寿命が短いという問題があった。
【０００４】
本発明はこのような問題に鑑みてなされたものであり、下押し板と上押し板とを結合して上刃と下刃の一方もしくは両方を長さ方向に往復駆動自在に保持する構成において、下押し板を有効に利用することで、上下刃の摺接抵抗を低減して軽快な切断作業を長期にわたっておこなえる庭木バリカンを提供することを課題とするものである。
【０００５】
【課題を解決するための手段】
請求項１においては、下押し板１と上押し板２とを結合部３において結合し、下押し板１と上押し板２との間に上刃４と下刃５の一方もしくは両方を長さ方向に往復駆動自在に保持した庭木バリカンであって、下押し板１の両側部に上刃４を押し上げて上下刃４、５の摺接抵抗を低減する突出部６を設けていることを特徴とするものである。
【０００６】
このような構成によれば、下押し板１の両側部に設けた突出部６、６によって上刃４を押し上げて下刃５に対する摺接抵抗を低減することから、摺接の騒音を低減でき、製品寿命を延ばすことができ、軽快な切断作業を長期にわたっておこなえ、しかも、従来のように上刃に突部を形成して摺接抵抗を低減する構成に比べて上刃４の構成を簡素化して上刃４のコストを抑え、しかして、商品価値を大幅に高めることができる。
【０００７】
この場合、回転する出力軸１９に偏心カム２０を設け、偏心カム２０の上部カム部２０ａを上刃４の連係孔４ａに連係し、偏心カム２０の下部カム部２０ｂを下刃５の連係孔５ａに連係する上下刃４、５の駆動構成においては、下押し板１の両側部に設けた突出部６、６によって上刃４を押し上げることから、上刃４と下部カム部２０ｂとの摺接を防止することができ、下刃５と上部カム部２０ａとの摺接を防止することができ、偏心カム２０における騒音の発生を防止することができ、一層、騒音を低減できるものである。
【０００８】
請求項２においては、突出部６は、下押し板１を折り曲げて中央部が高くなる円弧状に形成していることを特徴とするものである。このような構成によれば、上刃４と突出部６との摺接抵抗を低減でき、一層、騒音を抑えることができる。
【０００９】
請求項３においては、突出部６は、下押し板１を折り曲げて中央部が高くなる複数の円弧部２３…を備えていることを特徴とするものである。このような構成によれば、上刃４と突出部６との摺接抵抗を、一層、低減でき、一層、騒音を抑えることができる。
【００１０】
請求項４においては、突出部６は、下押し板１と上押し板２との間に回転自在に保持された回転体２４であることを特徴とするものである。このような構成によれば、上刃４と突出部６との摺接抵抗を、一層、低減でき、一層、騒音を抑えることができる。
【００１１】
請求項５においては、突出部６は、下押し板１と上押し板２との間に保持されて上刃４より柔らかい部材２５であることを特徴とするものである。このような構成によれば、柔らかい部材２５によって騒音を抑えることができ、かつ、上刃４の摩耗を防止することができる。
【００１２】
請求項６においては、上刃４より柔らかい部材２５は、本体ハウジング１１に一体化していることを特徴とするものである。このような構成によれば、上刃４より柔らかい部材２５の突出部６は本体ハウジング１１に一体化されて部品点数を低減し、組み立て性を向上することができる。
【００１３】
請求項７においては、突出部６は、下押し板１を断面略逆Ｕ字状に折り曲げて頂部に凸曲部２７を形成していることを特徴とするものである。このような構成によれば、上刃４と突出部６との摺接抵抗を低減でき、一層、騒音を抑えることができる。
【００１４】
請求項８においては、突出部６は、下押し板１を断面半球面状に折り曲げて半球面体２８に形成していることを特徴とするものである。このような構成によれば、上刃４と突出部６との摺接抵抗を低減でき、一層、騒音を抑えることができる。
【００１５】
請求項９においては、突出部６は、下押し板１の両側部を断面コ字状に折り曲げてコ字状部２９に形成していることを特徴とするものである。このような構成によれば、コ字状部２９において上刃４を安定的に押し上げて安定的に往復運動させることができる。
【００１６】
請求項１０においては、両側部に突出部６、６を形成した突出部材３０を下押し板１に付設していることを特徴とするものである。このような構成によれば、突出部材３０には両側部に突出部６、６が形成されていて、突出部６、６の強度を安定化させることができて安定的に往復運動させることができる。
【００１７】
【発明の実施の形態】
以下、本発明の実施の形態を説明する。図１（ａ）はバリカン刃の長さ方向に沿い一部を破断した断面図、同図（ｂ）は同図（ａ）のＡ−Ａ線断面図である。図２は一部破断した全体断面図である。
【００１８】
庭木バリカン１０は、ハウジング１１の前部にバリカン刃１２を突出させ、上部にスイッチ１３を有するグリップ１４を設け、ハウジング１１よりも上側に補助グリップ１５を備え、バリカン刃１２の根本部に保護カバー１６を取り付けている。ハウジング１１の内部にはモータ１７及び減速ブロック１８を設け、出力軸１９に偏心カム２０を取り付けている。
【００１９】
バリカン刃１２は、下押し板１と上押し板２を長さ方向に間隔を隔ててリベットのような結合部３…にて結合し、下押し板１と上押し板２との間に上刃４と下刃５を往復動自在に保持している。
【００２０】
偏心カム２０の上部カム部２０ａが上刃４の連係孔４ａに係合し、下部カム部２０ｂが下刃５の連係孔５ａに係合し、モータ１７及び減速ブロック１８にて出力軸１９を低速回転させて上下刃４、５を往復駆動させることができるようにしている。上下刃４、５はバリカン形態になっていて上下刃４、５の協同で枝等を切断する。尚、上下刃４、５の片方を駆動する駆動形態にしてもよいものである。
【００２１】
図１に示すように、出力軸１９に取り付けた偏心カム２０の近傍で、下押し板１の両側部に上刃４を押し上げて上下刃４、５の摺接抵抗を低減する突出部６を設けている。
【００２２】
このように、下押し板１の両側部に設けた突出部６、６によって上刃４を押し上げて下刃５に対する摺接抵抗を低減するのであり、摺接の騒音を低減でき、製品寿命を延ばすことができ、軽快な切断作業を長期にわたっておこなえ、しかも、従来のように上刃に突部を形成して摺接抵抗を低減する構成に比べて上刃４の構成を簡素化して上刃４のコストを抑え、しかして、商品価値を大幅に高めることができるのである。
【００２３】
この場合、偏心カム２０の上部カム部２０ａを上刃４の連係孔４ａに連係し、偏心カム２０の下部カム部２０ｂを下刃５の連係孔５ａに連係する上下刃４、５の駆動構成においては、下押し板１の両側部に設けた突出部６、６によって上刃４を押し上げることから、上刃４と下部カム部２０ｂとの摺接を防止することができ、下刃５と上部カム部２０ａとの摺接を防止することができ、偏心カム２０における騒音の発生を防止することができ、一層、騒音を低減できるものである。
【００２４】
図３は他の実施の形態を示し、但し、本実施の形態の基本構成は上記実施の形態と共通であり、共通する部分には同一の符号を付して説明は省略する。
【００２５】
本実施の形態においては、突出部６は、下押し板１を折り曲げて中央部が高くなる円弧状に形成している。
【００２６】
本実施の形態においては、上刃４と突出部６との摺接抵抗を低減でき、一層、騒音を抑えることができる。
【００２７】
図４は更に他の実施の形態を示し、但し、本実施の形態の基本構成は上記実施の形態と共通であり、共通する部分には同一の符号を付して説明は省略する。
【００２８】
本実施の形態においては、突出部６は、下押し板１を折り曲げて中央部が高くなる複数の円弧部２３…を備えている。
【００２９】
本実施の形態においては、複数の円弧部２３…によって上刃４と突出部６との摺接抵抗を、一層、低減でき、一層、騒音を抑えることができる。
【００３０】
図５は更に他の実施の形態を示し、但し、本実施の形態の基本構成は上記実施の形態と共通であり、共通する部分には同一の符号を付して説明は省略する。
【００３１】
本実施の形態においては、突出部６は、下押し板１と上押し板２との間に回転自在に保持された回転体２４である。具体的には、下押し板１に半球状の受け部３１を形成して球体の回転体２４を転動自在に保持している。
【００３２】
本実施の形態においては、球体の回転体２４によって上刃４と突出部６との摺接抵抗を、一層、低減でき、一層、騒音を抑えることができる。尚、回転体２４は円柱形に形成してもよい。
【００３３】
図６は更に他の実施の形態を示し、但し、本実施の形態の基本構成は上記実施の形態と共通であり、共通する部分には同一の符号を付して説明は省略する。
【００３４】
本実施の形態においては、突出部６は、下押し板１と上押し板２との間に保持されて上刃４より柔らかい部材２５で形成している。柔らかい部材２５は硬質合成樹脂、上刃４よりも柔らかい金属材料等を採用することができる。又、柔らかい部材２５は断面略Ｔ字状に形成されて下押し板１に下部凸部を保持している。
【００３５】
本実施の形態においては、上刃４よりも柔らかい部材２５によって騒音を抑えることができ、かつ、上刃４の摩耗を防止することができる。
【００３６】
図７は更に他の実施の形態を示し、但し、本実施の形態の基本構成は上記実施の形態と共通であり、共通する部分には同一の符号を付して説明は省略する。
【００３７】
本実施の形態においては、上刃４より柔らかい部材２５は、本体ハウジング１１に一体化している。
【００３８】
本実施の形態によれば、上刃４より柔らかい部材２５の突出部６は本体ハウジング１１に一体化されて部品点数を低減し、組み立て性を向上することができる。
【００３９】
図８は更に他の実施の形態を示し、但し、本実施の形態の基本構成は上記実施の形態と共通であり、共通する部分には同一の符号を付して説明は省略する。
【００４０】
本実施の形態においては、突出部６は、下押し板１を断面略逆Ｕ字状に折り曲げて頂部に凸曲部２７を形成している。
【００４１】
本実施の形態によれば、凸曲部２７において上刃４と突出部６との摺接抵抗を低減でき、一層、騒音を抑えることができる。
【００４２】
図９は更に他の実施の形態を示し、但し、本実施の形態の基本構成は上記実施の形態と共通であり、共通する部分には同一の符号を付して説明は省略する。
【００４３】
本実施の形態においては、突出部６は、下押し板１を断面半球面状に折り曲げて半球面体２８に形成している。
【００４４】
本実施の形態によれば、半球面体２８によって上刃４と突出部６との摺接抵抗を低減でき、一層、騒音を抑えることができる。
【００４５】
図１０は更に他の実施の形態を示し、但し、本実施の形態の基本構成は上記実施の形態と共通であり、共通する部分には同一の符号を付して説明は省略する。
【００４６】
本実施の形態においては、突出部６は、下押し板１の両側部を断面コ字状に折り曲げてコ字状部２９に形成している。
【００４７】
本実施の形態によれば、コ字状部２９において上刃４を安定的に押し上げて安定的に往復運動させることができる。
【００４８】
図１１は更に他の実施の形態を示し、但し、本実施の形態の基本構成は上記実施の形態と共通であり、共通する部分には同一の符号を付して説明は省略する。
【００４９】
本実施の形態においては、両側部に突出部６、６を形成した突出部材３０を下押し板１に付設している。具体的には、突出部材３０は連結部３０ａにて連結されて略Ｕ字状になっていて両側部に折り曲げによって突出部６、６を形成している。
【００５０】
本実施の形態によれば、突出部材３０には両側部に突出部６、６が形成されていて、突出部６、６の強度を安定化させることができて安定的に往復運動させることができる。
【００５１】
【発明の効果】
請求項１においては、下押し板と上押し板とを結合部において結合し、下押し板と上押し板との間に上刃と下刃の一方もしくは両方を長さ方向に往復駆動自在に保持した庭木バリカンであって、下押し板の両側部に上刃を押し上げて上下刃の摺接抵抗を低減する突出部を設けているから、下押し板の両側部に設けた突出部によって上刃を押し上げて下刃に対する摺接抵抗を低減することから、摺接の騒音を低減でき、製品寿命を延ばすことができ、軽快な切断作業を長期にわたっておこなえ、しかも、従来のように上刃に突部を形成して摺接抵抗を低減する構成に比べて上刃の構成を簡素化して上刃のコストを抑え、しかして、商品価値を大幅に高めることができるという利点がある。
【００５２】
請求項２においては、請求項１の効果に加えて、突出部は、下押し板を折り曲げて中央部が高くなる円弧状に形成しているから、上刃と突出部との摺接抵抗を低減でき、一層、騒音を抑えることができるという利点がある。
【００５３】
請求項３においては、請求項１の効果に加えて、突出部は、下押し板を折り曲げて中央部が高くなる複数の円弧部を備えているから、上刃と突出部との摺接抵抗を、一層、低減でき、一層、騒音を抑えることができるという利点がある。
【００５４】
請求項４においては、請求項１の効果に加えて、突出部は、下押し板と上押し板との間に回転自在に保持された回転体であるから、上刃と突出部との摺接抵抗を、一層、低減でき、一層、騒音を抑えることができるという利点がある。
【００５５】
請求項５においては、請求項１の効果に加えて、突出部は、下押し板と上押し板との間に保持されて上刃より柔らかい部材であるから、柔らかい部材によって騒音を抑えることができ、かつ、上刃の摩耗を防止することができるという利点がある。
【００５６】
請求項６においては、請求項５の効果に加えて、上刃より柔らかい部材は、本体ハウジングに一体化しているから、上刃より柔らかい部材の突出部は本体ハウジングに一体化されて部品点数を低減し、組み立て性を向上することができるという利点がある。
【００５７】
請求項７においては、請求項１の効果に加えて、突出部は、下押し板を断面略逆Ｕ字状に折り曲げて頂部に凸曲部を形成しているから、上刃と突出部との摺接抵抗を低減でき、一層、騒音を抑えることができるという利点がある。
【００５８】
請求項８においては、請求項１の効果に加えて、突出部は、下押し板を断面半球面状に折り曲げて半球面体に形成しているから、上刃と突出部との摺接抵抗を低減でき、一層、騒音を抑えることができるという利点がある。
【００５９】
請求項９においては、請求項１の効果に加えて、突出部は、下押し板の両側部を断面コ字状に折り曲げてコ字状部に形成しているから、コ字状部において上刃を安定的に押し上げて安定的に往復運動させることができるという利点がある。
【００６０】
請求項１０においては、請求項１の効果に加えて、両側部に突出部を形成した突出部材を下押し板に付設しているから、突出部材には両側部に突出部が形成されていて、突出部の強度を安定化させることができて安定的に往復運動させることができるという利点がある。
【図面の簡単な説明】
【図１】本発明の実施の一形態を示し、（ａ）はバリカン刃の長さ方向に沿い一部を破断した断面図、（ｂ）は（ａ）のＡ−Ａ線断面図である。
【図２】同上の一部省略した全体断面図である。
【図３】同上の他の実施の形態を示し、（ａ）はバリカン刃の長さ方向に沿い一部を破断した断面図、（ｂ）は（ａ）のＢ−Ｂ線断面図である。
【図４】同上の更に他の実施の形態を示し、（ａ）はバリカン刃の長さ方向に沿い一部破断した断面図、（ｂ）は（ａ）のＣ−Ｃ線断面図である。
【図５】同上の更に他の実施の形態を示し、（ａ）はバリカン刃の長さ方向に沿い一部破断した断面図、（ｂ）は（ａ）のＤ−Ｄ線断面図である。
【図６】同上の更に他の実施の形態を示し、（ａ）はバリカン刃の長さ方向に沿い一部破断した断面図、（ｂ）は（ａ）のＥ−Ｅ線断面図である。
【図７】同上の更に他の実施の形態を示し、バリカン刃の幅方向の断面図である。
【図８】同上の更に他の実施の形態を示し、（ａ）はバリカン刃の長さ方向に沿い一部破断した断面図、（ｂ）は（ａ）のＦ−Ｆ線断面図である。
【図９】同上の更に他の実施の形態を示し、（ａ）はバリカン刃の長さ方向に沿い一部破断した断面図、（ｂ）は（ａ）のＧ−Ｇ線断面図である。
【図１０】同上の更に他の実施の形態を示し、（ａ）はバリカン刃の長さ方向に沿い一部破断した断面図、（ｂ）は（ａ）のＨ−Ｈ線断面図である。
【図１１】同上の更に他の実施の形態を示し、（ａ）はバリカン刃の長さ方向に沿い一部破断した断面図、（ｂ）は（ａ）のＪ−Ｊ線断面図、（ｃ）は一部破断した平面図である。
【符号の説明】
１  下押し板
２  上押し板
３  結合部
４  上刃
５  下刃
６  突出部
【図１】
0003820967.tif 000002
【図２】
0003820967.tif 000003
【図３】
0003820967.tif 000004
【図４】
0003820967.tif 000005
【図５】
0003820967.tif 000006
【図６】
0003820967.tif 000007
【図７】
0003820967.tif 000008
【図８】
0003820967.tif 000009
【図９】
0003820967.tif 000010
【図１０】
0003820967.tif 000011
【図１１】
0003820967.tif 000012